(57)【特許請求の範囲】
【請求項１】
緑色信号を得るための第１の固体撮像素子と、
上記第１の固体撮像素子とは水平方向に１／２画素ピッチだけずらして配置され、青色信号および赤色信号をそれぞれ得るための第２および第３の固体撮像素子と、
上記第１〜第３の固体撮像素子より得られる、第１のサンプリング周波数の１／２の第２のサンプリング周波数の緑、青、赤の色信号に対してアップコンバート処理およびマトリックス処理をして上記第１のサンプリング周波数の輝度信号および色差信号を得る信号処理手段と、
上記信号処理手段より出力される上記第１のサンプリング周波数の色差信号より上記第２のサンプリング周波数の色差信号を得るレート変換手段と、
上記信号処理手段より出力される上記第１のサンプリング周波数の色差信号または上記レート変換手段より出力される上記第２のサンプリング周波数の色差信号を選択的に取り出すスイッチ手段と、
上記信号処理手段より出力される上記第１のサンプリング周波数の輝度信号および上記スイッチ手段で取り出される色差信号を出力するビデオ信号出力手段と
を備えることを特徴とするビデオカメラ。
【請求項２】
上記レート変換手段は、
上記第１のサンプリング周波数の色差信号の信号帯域を１／２に制限するためのハーフバンドフィルタと、
上記ハーフバンドフィルタより出力される上記第１のサンプリング周波数の色差信号に間引き処理をして上記第２のサンプリング周波数の色差信号を得る間引き回路と、
上記間引き回路より出力される上記第２のサンプリング周波数の色差信号をアナログ信号に変換するために上記第２のサンプリング周波数で動作するＤ／Ａ変換器と、
上記Ｄ／Ａ変換器の出力信号の帯域を制限するポストフィルタとを有する
ことを特徴とする請求項１に記載のビデオカメラ。
【請求項３】
上記レート変換手段は、
上記第１のサンプリング周波数の色差信号の信号帯域を１／２に制限するためのハーフバンドフィルタと、
上記ハーフバンドフィルタより出力される上記第１のサンプリング周波数の色差信号をアナログ信号に変換するための上記第１のサンプリング周波数で動作するＤ／Ａ変換器と、
上記Ｄ／Ａ変換器の出力信号の帯域を制限するポストフィルタとを有する
ことを特徴とする請求項１に記載のビデオカメラ。
【請求項４】
上記レート変換手段は、
上記第１のサンプリング周波数の色差信号の信号帯域を１／２に制限するためのハーフバンドフィルタと、
上記ハーフバンドフィルタより出力される上記第１のサンプリング周波数の色差信号をアナログ信号に変換するために上記第２のサンプリング周波数で動作するＤ／Ａ変換器と、
上記Ｄ／Ａ変換器の出力信号の帯域を制限するポストフィルタとを有する
ことを特徴とする請求項１に記載のビデオカメラ。
【発明の詳細な説明】
【０００１】
【発明の属する技術分野】
この発明は、ビデオカメラに関する。詳しくは、第１のサンプリング周波数の輝度信号および色差信号を得ると共に、この第１のサンプリング周波数の色差信号より第１のサンプリング周波数の１／２の第２のサンプリング周波数の色差信号を得ることによって、４：４：４のビデオ信号と４：２：２のビデオ信号とを切り換えて出力できるようにしたビデオカメラに係るものである。
【０００２】
【従来の技術】
図１０は、従来のビデオカメラ２００を示している。ビデオカメラ２００は、レンズブロック２０１と、このレンズブロック２０１を通して入射された光を赤、緑、青の色成分光に分解するための色分解プリズム２０２と、この色分解プリズム２０２で分解された赤、緑、青の色成分光が入射されて撮像面上にそれぞれ被写体に係る赤色画像、緑色画像、青色画像が結像されるＣＣＤ（charge coupled device）固体撮像素子２０３Ｒ，２０３Ｇ，２０３Ｂとを有している。
【０００３】
この場合、解像度向上のために空間画素ずらし法が採用されている。すなわち、図１１に示すように、撮像素子２０３Ｒ，２０３Ｂは、撮像素子２０３Ｇに対して水平方向に１／２画素ピッチ（Ｐ／２）だけずらして配置されている。この空間画素ずらし法では、撮像素子２０３Ｇより出力される緑色撮像信号のサンプリング点と、撮像素子２０３Ｒ，２０３Ｂより出力される赤色撮像信号、青色撮像信号のサンプリング点は１８０゜の位相差を有するものとなる。
【０００４】
また、ビデオカメラ２００は、撮像素子２０３Ｒ，２０３Ｇ，２０３Ｂよりそれぞれ出力される赤、緑、青の撮像信号に対して相関二重サンプリング処理やレベル制御処理をするアナログプロセス回路２０４Ｒ，２０４Ｇ，２０４Ｂを有している。相関二重サンプリング処理をすることでリセット雑音を低減することができる。また、レベル制御処理では、白バランスや黒バランス等のレベル制御が行われる。
【０００５】
また、ビデオカメラ２００は、アナログプロセス回路２０４Ｒ，２０４Ｇ，２０４Ｂより出力される赤、緑、青の色信号Ｒ，Ｇ，Ｂをディジタル信号に変換するためのＡ／Ｄ（analog-to-digital）変換器２０５Ｒ，２０５Ｇ，２０５Ｂを有している。上述した撮像素子２０３Ｒ，２０３Ｇ，２０３Ｂよりｆs1（例えば１８ＭＨｚ）のレートで赤、緑、青の撮像信号が出力される場合、Ａ／Ｄ変換器２０５Ｒ，２０５Ｇ，２０５Ｂでは色信号Ｒ，Ｇ，Ｂがサンプリング周波数ｆs1でサンプルホールドされてディジタル信号に変換される。
【０００６】
また、ビデオカメラ２００は、Ａ／Ｄ変換器２０５Ｒ，２０５Ｇ，２０５Ｂより出力される赤、緑、青の色データＤＲ，ＤＧ，ＤＢに対して白黒バランス制御、シェーディング補正、欠陥補正等の画像処理を行うプリプロセス回路２０６と、このプリプロセス回路２０６より出力される色データＤＧの帯域を制限するためのローパスフィルタ２０７Ｇと、プリプロセス回路２０６より出力される色データＤＲ，ＤＢより、色データＤＧと位相が合った補間色データＤＲｉ，ＤＢｉを得る補間フィルタ２０７Ｒ，２０７Ｂとを有している。補間フィルタ２０７Ｒ，２０７Ｂでは、補間色データＤＲｉ，ＤＢｉの帯域制限も行われる。
【０００７】
また、ビデオカメラ２００は、ローパスフィルタ２０７Ｇより出力される色データＤＧと補間フィルタ２０７Ｒ，２０７Ｂより出力される補間色データＤＲｉ，ＤＢｉに対してリニアマトリックス処理をする色補正回路２０８を有している。リニアマトリクス処理では、（１）式の演算処理が行われ、撮像画像の色再現性を補正した赤、緑、青の色データＤＲｃ，ＤＧｃ，ＤＢｃが得られる。なお、ａ〜ｆは係数である。
【０００８】
0003806968.tif 000002
また、ビデオカメラ２００は、プリプロセス回路２０６より出力される色データＤＲ，ＤＧより、画像の輪郭部を強調するための輪郭強調信号Ｄａ，Ｄｃを生成すると共に、輝度信号の高域成分ＹＨを得るイメージエンハンサ２０９を有している。この場合、輪郭強調信号Ｄａは高域側を強調するものであり、輪郭強調信号Ｄｃは低域側を強調するものである。
【０００９】
また、ビデオカメラ２００は、色補正回路２０８より出力される色データＤＲｃ，ＤＧｃ，ＤＢｃにイメージエンハンサ２０９より出力される輪郭強調信号Ｄｃを加算する加算器２１０Ｒ，２１０Ｇ，２１０Ｂと、この加算器２１０Ｒ，２１０Ｇ，２１０Ｂより出力される色データＤＲｃ，ＤＧｃ，ＤＢｃにニー補正やガンマ補正をするニー・ガンマ補正回路２１１Ｒ，２１１Ｇ，２１１Ｂと、この補正回路２１１Ｒ，２１１Ｇ，２１１Ｂより出力される色データＤＲｃ，ＤＧｃ，ＤＢｃにイメージエンハンサ２０９より出力される輪郭強調信号Ｄａを加算する加算器２１２Ｒ，２１２Ｇ，２１２Ｂとを有している。
【００１０】
また、ビデオカメラ２００は、加算器２１２Ｒ，２１２Ｇ，２１２Ｂより出力される色データＤＲｃ，ＤＧｃ，ＤＢｃに対して一定レベルでクリップ処理するクリップ回路２１３Ｒ，２１３Ｇ，２１３Ｂと、このクリップ回路２１３Ｒ，２１３Ｇ，２１３Ｂより出力される色データＤＲｃ，ＤＧｃ，ＤＢｃに対してマトリックス処理をして輝度データＤＹ、赤色差データＤＣＲ、青色差データＤＣＢを形成するマトリックス回路２１４とを有している。
【００１１】
また、ビデオカメラ２００は、マトリックス回路２１４より出力されるデータＤＹ、ＤＣＲ、ＤＣＢに対して一定レベルでクリップ処理するクリップ回路２１５Ｙ，２１５Ｒ，２１５Ｂと、このクリップ回路２１５Ｙ，２１５Ｒ，２１５Ｂより出力されるデータＤＹ、ＤＣＲ、ＤＣＢに対してブランキング期間にブランキングデータを挿入するブランキング回路２１６Ｙ，２１６Ｒ，２１６Ｂとを有している。
【００１２】
また、ビデオカメラ２００は、ブランキング回路２１６Ｙより出力される輝度データＤＹより２倍のサンプリング周波数２ｆs1の輝度データＤＹＵを得るアップコンバータ２１７と、このアップコンバータ２１７より出力される輝度データＤＹＵにイメージエンハンサ２０９より出力される高域成分ＹＨを加算する加算器２１８と、加算器２１８より出力される輝度データＤＹＵをアナログ信号に変換するためにサンプリング周波数２ｆs1で動作するＤ／Ａ（digital-to-analog）変換器２１９Ｙと、このＤ／Ａ変換器２１９Ｙの出力信号に帯域制限して輝度信号Ｙを抽出するポストフィルタ（ローパスフィルタ）２２０Ｙとを有している。
【００１３】
また、ビデオカメラ２００は、ブランキング回路２１６Ｒ，２１６Ｂより出力される色差データＤＣＲ，ＤＣＢをアナログ信号に変換するためにｆs1のサンプリング周波数で動作するＤ／Ａ変換器２１９Ｒ，２１９Ｂと、このＤ／Ａ変換器２１９Ｒ，２１９Ｂの出力信号に対して帯域制限して赤色差信号ＣＲ、青色差信号ＣＢを得るポストフィルタ２２０Ｒ，２２０Ｂと、ポストフィルタ２２０Ｙ，２２０Ｒ，２２０Ｂより出力される輝度信号Ｙ、色差信号ＣＲ，ＣＢをビデオ信号として出力する出力端子２２１Ｙ，２２１Ｒ，２２１Ｂとを有している。
【００１４】
また、ビデオカメラ２００は、ブランキング回路２１６Ｙ，２１６Ｒ，２１６Ｂより出力されるデータＤＹ，ＤＣＲ，ＤＣＢより所定サンプリング周波数ｆsnの輝度データＤＹｎ、色差データＤＣＲｎ，ＤＣＢｎを得るレートコンバータ２２２と、このレートコンバータ２２２より出力されるデータＤＹｎ、ＤＣＲｎ，ＤＣＢｎをビデオデータとして出力する出力端子２２３Ｙ，２２３Ｒ，２２３Ｂとを有している。
【００１５】
次に、図１０に示すビデオカメラ２００の動作を説明する。
【００１６】
レンズブロック２０１を通して入射された被写体からの光は色分解プリズム２０２に供給されて赤色光、緑色光、青色光に分解され、それぞれ撮像素子２０３Ｒ，２０３Ｇ，２０３Ｂに導かれる。撮像素子２０３Ｒ，２０３Ｇ，２０３Ｂの撮像面上には、それぞれ被写体に係る赤色画像、緑色画像、青色画像が結像されて撮像が行われる。そして、撮像素子２０３Ｒ，２０３Ｇ，２０３Ｂより出力される赤、緑、青の撮像信号はアナログプロセス回路２０４Ｒ，２０４Ｇ，２０４Ｂに供給されて相関二重サンプリング処理や白バランス、黒バランス等のレベル制御がされる。
【００１７】
また、アナログプロセス回路２０４Ｒ，２０４Ｇ，２０４Ｂより出力される赤、緑、青の色信号Ｒ，Ｇ，ＢはＡ／Ｄ変換器２０５Ｒ，２０５Ｇ，２０５Ｂでｆs1レートの色データＤＲ，ＤＧ，ＤＢに変換される。この色データＤＲ，ＤＧ，ＤＢはプリプロセス回路２０６に供給されて白黒バランス制御、シェーディング補正、欠陥補正等の画像処理が行われる。
【００１８】
そして、プリプロセス回路２０６より出力される色データＤＧはローパスフィルタ２０７Ｇで帯域制限されて色補正回路２０８に供給される。一方、プリプロセス回路２０６より出力される色データＤＲ，ＤＢより補間フィルタ２０７Ｒ，２０７Ｂで色データＤＧと位相が合った補間色データＤＲｉ，ＤＢｉが形成され、この補間色データＤＲｉ，ＤＢｉは色補正回路２０８に供給される。色補正回路２０８では、色データＤＧと補間色データＤＲｉ，ＤＢｉに対してリニアマトリックス処理が行われ、撮像画像の色再現性を補正した赤、緑、青の色データＤＲｃ，ＤＧｃ，ＤＢｃが得られる。
【００１９】
また、色補正回路２０８より出力される色データＤＲｃ，ＤＧｃ，ＤＢｃに対して、加算器２１０Ｒ，２１０Ｇ，２１０Ｂでイメージエンハンサ２０９より出力される低域側を強調する輪郭強調信号Ｄｃが加算され、またニー・ガンマ補正回路２１１Ｒ，２１１Ｇ，２１１Ｂでニー補正およびガンマ補正がされ、さらに加算器２１２Ｒ，２１２Ｇ，２１２Ｂでイメージエンハンサ２０９より出力される高域側を強調する輪郭強調信号Ｄａが加算される。
【００２０】
また、加算器２１２Ｒ，２１２Ｇ，２１２Ｂより出力される色データＤＲｃ，ＤＧｃ，ＤＢｃは、クリップ回路２１３Ｒ，２１３Ｇ，２１３Ｂでクリップ処理された後にマトリックス回路２１４に供給されてマトリックス処理される。そして、マトリックス回路２１４より出力される輝度データＤＹ，赤色差データＤＣＲ、青色差データＤＣＢに対して、クリップ回路２１５Ｙ，２１５Ｒ，２１５Ｂでクリップ処理され、またブランキング回路２１６Ｙ，２１６Ｒ，２１６Ｂでブランキング期間にブランキングレベルのデータが挿入される。
【００２１】
また、ブランキング回路２１６Ｙより出力される輝度データＤＹよりアップコンバータ２１７で２倍のサンプリング周波数２ｆs1の輝度データＤＹＵが形成される。この輝度データＤＹＵに対して加算器２１８でイメージエンハンサ２０９より出力される輝度信号の高域成分ＹＨが加算される。そして、加算器２１８より出力される輝度データＤＹＵはＤ／Ａ変換器２１９ＹでＤ／Ａ変換されてポストフィルタ２２０Ｙに供給され、このポストフィルタ２２０Ｙで抽出される輝度信号Ｙが出力端子２２１Ｙに導出される。
【００２２】
また、ブランキング回路２１６Ｒ，２１６Ｂより出力される色差データＤＣＲ，ＤＣＢはＤ／Ａ変換器２１９Ｒ，２１９ＢでＤ／Ａ変換されてポストフィルタ２２０Ｒ，２２０Ｂに供給され、このポストフィルタ２２０Ｒ，２２０Ｂで抽出される赤色差信号ＣＲ、青色差信号ＣＢが出力端子２２１Ｒ，２２１Ｂに導出される。また、ブランキング回路２１６Ｙ，２１６Ｒ，２１６Ｂより出力されるデータＤＹ，ＤＣＲ，ＤＣＢがレートコンバータ２２２に供給され、このレートコンバータ２２２より得られる所定サンプリング周波数ｆsnの輝度データＤＹｎ、色差データＤＣＲｎ，ＤＣＢｎが出力端子２２３Ｙ，２２３Ｒ，２２３Ｂに導出される。
【００２３】
【発明が解決しようとする課題】
図１０に示すビデオカメラ２００では、アップコンバータ２１７で２ｆs1レートの輝度データＤＹＵを得ると共に、この輝度データＤＹＵに加算器２１８でイメージエンハンサ２０９からの高域成分ＹＨを加算することで、信号帯域としてｆs1の輝度信号Ｙを得、出力端子２２１Ｙ，２２１Ｒ，２２１Ｂより４：２：２のビデオ信号を得るようにしている。しかし、マトリックス回路２１４より出力される色差データＤＣＲ，ＤＣＢはｆs1レートであるため、信号帯域としてｆs1の色差信号ＣＲ，ＣＢを得ることは不可能であり、４：４：４のビデオ信号を得ることができなかった。
【００２４】
そこで、この発明では、４：４：４のビデオ信号と４：２：２のビデオ信号とを切り換えて出力できるビデオカメラを提供するものである。
【００２５】
【課題を解決するための手段】
この発明に係るビデオカメラは、緑色信号を得るための第１の固体撮像素子と、この第１の固体撮像素子とは水平方向に１／２画素ピッチだけずらして配置され、青色信号および赤色信号をそれぞれ得るための第２および第３の固体撮像素子と、これら第１〜第３の固体撮像素子より得られる、第１のサンプリング周波数の１／２の第２のサンプリング周波数の緑、青、赤の色信号に対してアップコンバート処理およびマトリックス処理をして第１のサンプリング周波数の輝度信号および色差信号を得る信号処理手段と、この信号処理手段より出力される第１のサンプリング周波数の色差信号より第２のサンプリング周波数の色差信号を得るレート変換手段と、信号処理手段より出力される第１のサンプリング周波数の色差信号またはレート変換手段より出力される第２のサンプリング周波数の色差信号を選択的に取り出すスイッチ手段と、信号処理手段より出力される第１のサンプリング周波数の輝度信号およびスイッチ手段で取り出される色差信号を出力するビデオ信号出力手段とを備えるものである。
【００２６】
この発明においては、緑、青、赤の色信号を得るための第１〜第３の固体撮像素子を有している。緑色信号を得るための第１の撮像素子と青色信号および赤色信号を得るための第２および第３の撮像素子とは、水平方向に１／２画素ピッチだけずらして配置されている。
信号処理手段からは、第１〜第３の固体撮像素子より得られる、第１のサンプリング周波数の１／２の第２のサンプリング周波数の緑、青、赤の色信号に対してアップコンバート処理およびマトリックス処理が行われて生成された第１のサンプリング周波数の輝度信号および色差信号が得られる。また、レート変換手段からは第１のサンプリング周波数の色差信号より第１のサンプリング周波数の１／２の第２のサンプリング周波数の色差信号が得られる。
スイッチ手段で信号処理手段より出力される第１のサンプリング周波数の色差信号が取り出される場合、ビデオ信号出力手段からは第１のサンプリング周波数の輝度信号および色差信号、従って４：４：４のビデオ信号が得られる。一方、スイッチ手段でレート変換手段より出力される第２のサンプリング周波数の色差信号が取り出される場合、ビデオ信号出力手段からは第１のサンプリング周波数の輝度信号および第２のサンプリング周波数の色差信号、従って４：２：２のビデオ信号が得られる。
【００２７】
【発明の実施の形態】
以下、図面を参照しながら、この発明の実施の形態について説明する。図１は、第１の実施の形態としてのビデオカメラ１００を示している。
【００２８】
ビデオカメラ１００は、レンズブロック１０１と、このレンズブロック１０１を通して入射された光を赤、緑、青の色成分光に分解するための色分解プリズム１０２と、この色分解プリズム１０２で分解された赤、緑、青の色成分光が入射されて撮像面上にそれぞれ被写体に係る赤色画像、緑色画像、青色画像が結像されるＣＣＤ固体撮像素子１０３Ｒ，１０３Ｇ，１０３Ｂとを有している。
【００２９】
この場合、解像度向上のために空間画素ずらし法が採用されている。すなわち、図１１に示すように、撮像素子１０３Ｒ，１０３Ｂは、撮像素子１０３Ｇに対して水平方向に１／２画素ピッチ（Ｐ／２）だけずらして配置されている。この空間画素ずらし法では、撮像素子１０３Ｇより出力される緑色撮像信号のサンプリング点と、撮像素子１０３Ｒ，１０３Ｂより出力される赤色撮像信号、青色撮像信号のサンプリング点は１８０゜の位相差を有するものとなる。
【００３０】
また、ビデオカメラ１００は、撮像素子１０３Ｒ，１０３Ｇ，１０３Ｂよりそれぞれ出力される赤、緑、青の撮像信号に対して相関二重サンプリング処理やレベル制御処理をするアナログプロセス回路１０４Ｒ，１０４Ｇ，１０４Ｂを有している。相関二重サンプリング処理をすることでリセット雑音を低減することができる。また、レベル制御処理では、白バランスや黒バランス等のレベル制御が行われる。
【００３１】
また、ビデオカメラ１００は、アナログプロセス回路１０４Ｒ，１０４Ｇ，１０４Ｂより出力される赤、緑、青の色信号Ｒ，Ｇ，Ｂをディジタル信号に変換するためのＡ／Ｄ変換器１０５Ｒ，１０５Ｇ，１０５Ｂを有している。上述した撮像素子１０３Ｒ，１０３Ｇ，１０３Ｂよりｆs1（例えば１８ＭＨｚ）のレートで赤、緑、青の撮像信号が出力される場合、Ａ／Ｄ変換器１０５Ｒ，１０５Ｇ，１０５Ｂでは色信号Ｒ，Ｇ，Ｂがサンプリング周波数ｆs1でサンプルホールドされてディジタル信号に変換される。
【００３２】
また、ビデオカメラ１００は、Ａ／Ｄ変換器１０５Ｒ，１０５Ｇ，１０５Ｂより出力される赤、緑、青の色データＤＲ，ＤＧ，ＤＢに対して白黒バランス制御、シェーディング補正、欠陥補正等の画像処理を行うプリプロセス回路１０６と、このプリプロセス回路１０６より出力される色データＤＲ，ＤＧ，ＤＢより２倍のサンプリング周波数２ｆs1の赤、緑、青の色データＤＲＵ，ＤＧＵ，ＤＢＵを得るアップコンバータ１０７Ｒ，１０７Ｇ，１０７Ｂとを有している。この場合、サンプリング周波数２ｆs1の色データＤＲＵ，ＤＧＵ，ＤＢＵは、位相が合うように処理される。
【００３３】
また、ビデオカメラ１００は、アップコンバータ１０７Ｒ，１０７Ｇ，１０７Ｂより出力される色データＤＲＵ，ＤＧＵ，ＤＢＵに対してリニアマトリックス処理をする色補正回路１０８を有している。リニアマトリクス処理では、（２）式の演算処理が行われ、撮像画像の色再現性を補正した赤、緑、青の色データＤＲＵｃ，ＤＧＵｃ，ＤＢＵｃが得られる。なお、ａ〜ｆは係数である。
【００３４】
0003806968.tif 000003
また、ビデオカメラ１００は、プリプロセス回路１０６より出力される色データＤＲ，ＤＧより、画像の輪郭部を強調するための輪郭強調信号Ｄａ，Ｄｃを生成するイメージエンハンサ１０９を有している。この場合、輪郭強調信号Ｄａは高域側を強調するものであり、輪郭強調信号Ｄｃは低域側を強調するものである。
【００３５】
また、ビデオカメラ１００は、色補正回路１０８より出力される色データＤＲＵｃ，ＤＧＵｃ，ＤＢＵｃにイメージエンハンサ１０９より出力される輪郭強調信号Ｄｃを加算する加算器１１０Ｒ，１１０Ｇ，１１０Ｂと、この加算器１１０Ｒ，１１０Ｇ，１１０Ｂより出力される色データＤＲＵｃ，ＤＧＵｃ，ＤＢＵｃにニー補正やガンマ補正をするニー・ガンマ補正回路１１１Ｒ，１１１Ｇ，１１１Ｂと、この補正回路１１１Ｒ，１１１Ｇ，１１１Ｂより出力される色データＤＲＵｃ，ＤＧＵｃ，ＤＢＵｃにイメージエンハンサ１０９より出力される輪郭強調信号Ｄａを加算する加算器１１２Ｒ，１１２Ｇ，２１２Ｂとを有している。
【００３６】
また、ビデオカメラ１００は、加算器１１２Ｒ，１１２Ｇ，１１２Ｂより出力される色データＤＲＵｃ，ＤＧＵｃ，ＤＢＵｃに対して一定レベルでクリップ処理するクリップ回路１１３Ｒ，１１３Ｇ，１１３Ｂと、このクリップ回路１１３Ｒ，１１３Ｇ，１１３Ｂより出力される色データＤＲＵｃ，ＤＧＵｃ，ＤＢＵｃに対してマトリックス処理をして輝度データＤＹＵ、赤色差データＤＣＲＵ、青色差データＤＣＢＵを形成するマトリックス回路１１４とを有している。
【００３７】
また、ビデオカメラ１００は、マトリックス回路１１４より出力されるデータＤＵＹ、ＤＣＲＵ、ＤＣＢＵに対して一定レベルでクリップ処理するクリップ回路１１５Ｙ，１１５Ｒ，１１５Ｂと、このクリップ回路１１５Ｙ，１１５Ｒ，１１５Ｂより出力されるデータＤＹＵ、ＤＣＲＵ、ＤＣＢＵに対してブランキング期間にブランキングデータを挿入するブランキング回路１１６Ｙ，１１６Ｒ，１１６Ｂとを有している。
【００３８】
また、ビデオカメラ１００は、ブランキング回路１１６Ｙより出力される輝度データＤＹＵをアナログ信号に変換するためにサンプリング周波数２ｆs1で動作するＤ／Ａ変換器１１７Ｙと、このＤ／Ａ変換器１１７Ｙの出力信号に帯域制限して輝度信号Ｙを抽出するポストフィルタ（ローパスフィルタ）１１８Ｙとを有している。
【００３９】
また、ビデオカメラ１００は、ブランキング回路１１６Ｒ，１１６ｂより出力される色差データＤＣＲＵ，ＤＣＲＢの信号帯域を半分に制限するハーフバンドフィルタ１１９Ｒ，１１９Ｂを有している。このハーフバンドフィルタ１１９Ｒ，１１９Ｂには、オンオフ制御信号ＳＷＣが供給される。例えば、オンオフ制御信号ＳＷＣがハイレベル「Ｈ」となるとき、ハーフバンドフィルタ１１９Ｒ，１１９Ｂはオン状態、すなわちハーフバンドフィルタとして機能するようになる。
【００４０】
ハーフバンドフィルタ１１９Ｒは、図２に示すように、例えば［１２１］型フィルタで構成される。入力端子１５１に供給される色差データＤＣＲＵは遅延素子１５２および遅延素子１５３の直列回路に供給される。遅延素子１５２，１５３は、それぞれ１／２ｆs1の遅延時間を有している。遅延素子１５２の入力側、遅延素子１５２，１５３の接続点、遅延素子１５３の出力側に得られるデータに係数器１５４，１５５，１５６でそれぞれ係数１／４，１／２，１／４が乗算されて加算器１５７で加算される。
【００４１】
また、加算器１５７の出力データが切換スイッチ１５８のＨ側の固定端子に供給される。この切換スイッチ１５８のＬ側の固定端子には遅延素子１５２，１５３の接続点に得られるデータが供給される。そして、切換スイッチ１５８より出力されるデータが出力端子１５９に導出される。切換スイッチ１５８にはオンオフ制御信号ＳＷＣが供給される。そして、切換スイッチ１５８は、オンオフ制御信号ＳＷＣがハイレベル「Ｈ」となるときＨ側に接続され、ローレベル「Ｌ」となるときＬ側に接続される。
【００４２】
図３は、切換スイッチ１５８がＨ側に接続され、ハーフバンドフィルタ１１９Ｒがフィルタとして機能したときのフィルタ特性を示している。ｆs1／２でレスポンスが０．５となる。
【００４３】
なお、ハーフバンドフィルタ１１９Ｒを、［１２１］型フィルタ以外のフィルタで構成することもできる。その場合、タップ数を多くすることで、フィルタ特性を急峻にできる。また、ハーフバンドフィルタ１１９Ｂも、上述したハーフバンドフィルタ１１９Ｒと同様に構成される。
【００４４】
また、図１に戻って、ビデオカメラ１００は、ハーフバンドフィルタ１１９Ｒ，１１９Ｂより出力される色差データＤＣＲＵ，ＤＣＢＵをアナログ信号に変換するためにサンプリング周波数２ｆs1で動作するＤ／Ａ変換器１１７Ｒａ，１１７Ｂａと、このＤ／Ａ変換器１１７Ｒａ，１１７Ｂａの出力信号に帯域制限して色差信号ＣＲａ，ＣＢａを抽出するポストフィルタ（ローパスフィルタ）１１８Ｒａ，１１８Ｂａとを有している。
【００４５】
また、ビデオカメラ１００は、ハーフバンドフィルタ１１９Ｒ，１１９Ｂより出力される色差データＤＣＲＵ，ＤＣＢＵに対して間引き処理をしてｆs1レートの赤、青の色差データＤＣＲ，ＤＣＢを得る間引き回路１２０Ｒ，１２０Ｂと、この間引き回路１２０Ｒ，１２０Ｂより出力される色差データＤＣＲ，ＤＣＢをアナログ信号に変換するためにサンプリング周波数ｆs1で動作するＤ／Ａ変換器１１７Ｒｂ，１１７Ｂｂと、このＤ／Ａ変換器１１７Ｒｂ，１１７Ｂｂの出力信号に帯域制限して色差信号ＣＲｂ，ＣＢｂを抽出するポストフィルタ（ローパスフィルタ）１１８Ｒｂ，１１８Ｂｂとを有している。
【００４６】
また、ビデオカメラ１００は、ポストフィルタ１１８Ｒａ，１１８Ｒｂより出力される色差信号ＣＲａ，ＣＲｂのいずれかを選択的に取り出す切換スイッチ１２１Ｒと、ポストフィルタ１１８Ｂａ，１１８Ｂｂより出力される色差信号ＣＢａ，ＣＢｂのいずれかを選択的に取り出す切換スイッチ１２１Ｂとを有している。この場合、切換スイッチ１２１ＲのＬ側の固定端子にはポストフィルタ１１８Ｒａの出力側が接続され、そのＨ側の固定端子にはポストフィルタ１１８Ｒｂの出力側が接続される。また、切換スイッチ１２１ＢのＬ側の固定端子にはポストフィルタ１１８Ｂａの出力側が接続され、そのＨ側の固定端子にはポストフィルタ１１８Ｂｂの出力側が接続される。
【００４７】
切換スイッチ１２１Ｒ，１２１Ｂにはオンオフ制御信号ＳＷＣが供給される。そして、切換スイッチ１２１Ｒ，１２１Ｂは、オンオフ制御信号ＳＷＣがハイレベル「Ｈ」であるときはＨ側に接続され、オンオフ制御信号ＳＷＣがローレベル「Ｌ」であるときはＬ側に接続される。すなわち、切換スイッチ１２１Ｒ，１２１Ｂは、上述したハーフバンドフィルタ１１９Ｒ，１１９Ｂがハーフバンドフィルタとして機能する場合にはＨ側に接続され、ハーフバンドフィルタとして機能しない場合にはＬ側に接続される。
【００４８】
また、ビデオカメラ１００は、ポストフィルタ１１８Ｙより出力される輝度信号Ｙ、切換スイッチ１２１Ｒ，１２１Ｂより出力される赤色差信号、青色差信号を出力する出力端子１２２Ｙ，１２２Ｒ，１２２Ｂを有している。
【００４９】
また、ビデオカメラ１００は、ブランキング回路１１６Ｙ，１１６Ｒ，１１６Ｂより出力されるデータＤＹＵ，ＤＣＲＵ，ＤＣＢＵより所定サンプリング周波数ｆsnの輝度データＤＹｎ、色差データＤＣＲｎ，ＤＣＢｎを得るレートコンバータ１２３と、このレートコンバータ１２３より出力されるデータＤＹｎ、ＤＣＲｎ，ＤＣＢｎをビデオデータとして出力する出力端子１２４Ｙ，１２４Ｒ，１２４Ｂとを有している。
【００５０】
次に、図１に示すビデオカメラ１００の動作を説明する。
【００５１】
レンズブロック１０１を通して入射された被写体からの光は色分解プリズム１０２に供給されて赤色光、緑色光、青色光に分解され、それぞれ撮像素子１０３Ｒ，１０３Ｇ，１０３Ｂに導かれる。撮像素子１０３Ｒ，１０３Ｇ，１０３Ｂの撮像面上には、それぞれ被写体に係る赤色画像、緑色画像、青色画像が結像されて撮像が行われる。そして、撮像素子１０３Ｒ，１０３Ｇ，１０３Ｂより出力される赤、緑、青の撮像信号はアナログプロセス回路１０４Ｒ，１０４Ｇ，１０４Ｂに供給されて相関二重サンプリング処理や白バランス、黒バランス等のレベル制御がされる。
【００５２】
また、アナログプロセス回路１０４Ｒ，１０４Ｇ，１０４Ｂより出力される赤、緑、青の色信号Ｒ，Ｇ，ＢはＡ／Ｄ変換器１０５Ｒ，１０５Ｇ，１０５Ｂでｆs1レートの色データＤＲ，ＤＧ，ＤＢに変換される。この色データＤＲ，ＤＧ，ＤＢはプリプロセス回路１０６に供給されて白黒バランス制御、シェーディング補正、欠陥補正等の画像処理がされる。
【００５３】
そして、プリプロセス回路１０６より出力される色データＤＲ，ＤＧ，ＤＢがアップコンバータ１０７Ｒ，１０７Ｇ，１０７Ｂに供給され、互いに位相の合った２倍のサンプリング周波数２ｆs1の赤、緑、青の色データＤＲＵ，ＤＧＵ，ＤＢＵが形成される。そして、この色データＤＲＵ，ＤＧＵ，ＤＢＵが色補正回路１０８に供給されてリニアマトリックス処理が行われ、撮像画像の色再現性を補正した赤、緑、青の色データＤＲＵｃ，ＤＧＵｃ，ＤＢＵｃが得られる。
【００５４】
また、色補正回路１０８より出力される色データＤＲＵｃ，ＤＧＵｃ，ＤＢＵｃに対して、加算器１１０Ｒ，１１０Ｇ，１１０Ｂでイメージエンハンサ１０９より出力される低域側を強調する輪郭強調信号Ｄｃが加算され、またニー・ガンマ補正回路１１１Ｒ，１１１Ｇ，１１１Ｂでニー補正およびガンマ補正がされ、さらに加算器１１２Ｒ，１１２Ｇ，１１２Ｂでイメージエンハンサ１０９より出力される高域側を強調する輪郭強調信号Ｄａが加算される。
【００５５】
また、加算器１１２Ｒ，１１２Ｇ，１１２Ｂより出力される色データＤＲＵｃ，ＤＧＵｃ，ＤＢＵｃは、クリップ回路１１３Ｒ，１１３Ｇ，１１３Ｂでクリップ処理された後にマトリックス回路１１４に供給されてマトリックス処理されて、２ｆs1レートの輝度データＤＹＵ，赤色差データＤＣＲＵ，青色差データＤＣＢＵが得られる。そして、マトリックス回路１１４より出力される輝度データＤＹＵ，赤色差データＤＣＲＵ、青色差データＤＣＢＵに対して、クリップ回路１１５Ｙ，１１５Ｒ，１１５Ｂでクリップ処理が行われ、またブランキング回路１１６Ｙ，１１６Ｒ，１１６Ｂでブランキング期間にブランキングレベルのデータが挿入される。
【００５６】
また、ブランキング回路１１６Ｙより出力される信号帯域がｆs1である２ｆs1レートの輝度データＤＹＵは、２ｆs1のサンプリング周波数で動作するＤ／Ａ変換器１１７ＹでＤ／Ａ変換されてポストフィルタ１１８Ｙに供給される。そして、このポストフィルタ１１８Ｙで抽出される、信号帯域がｆs1である輝度信号Ｙが出力端子１２２Ｙに導出される。
【００５７】
また、ブランキング回路１１６Ｒ，１１６Ｂより出力される２ｆs1レートの色差データＤＣＲＵ，ＤＣＢＵは、ハーフバンドフィルタ１１９Ｒ，１１９Ｂに供給される。このハーフバンドフィルタ１１９Ｒ，１１９Ｂより出力される色差データＤＣＲＵ，ＤＣＢＵは、Ｄ／Ａ変換器１１７Ｒａ，１１７ＢａでＤ／Ａ変換されてポストフィルタ１１８Ｒａ，１１８Ｂａに供給される。そして、このポストフィルタ１１８Ｒａ，１１８Ｂａで抽出される赤色差信号ＣＲａ、青色差信号ＣＢａが切換スイッチ１２１Ｒ，１２１ＢのＬ側の固定端子に供給される。
【００５８】
また、ハーフバンドフィルタ１１９Ｒ，１１９Ｂより出力される色差データＤＣＲＵ，ＤＣＢＵは間引き回路１２０Ｒ，１２０Ｂに供給されて間引き処理される。この間引き回路１２０Ｒ，１２０Ｂより出力されるｆs1レートの赤、青の色差データＤＣＲ，ＤＣＢは、Ｄ／Ａ変換器１１７Ｒｂ，１１７ＢｂでＤ／Ａ変換されてポストフィルタ１１８Ｒｂ，１１８Ｂｂに供給される。そして、このポストフィルタ１１８Ｒｂ，１１８Ｂｂで抽出される赤色差信号ＣＲｂ、青色差信号ＣＢｂが切換スイッチ１２１Ｒ，１２１ＢのＨ側の固定端子に供給される。
【００５９】
ここで、オンオフ制御信号ＳＷＣがローレベル「Ｌ」であるとき、ハーフバンドフィルタ１１９Ｒ，１１９Ｂはハーフバンドフィルタとして機能せず、出力データの信号帯域は入力データの信号帯域と同じくｆs1となる。図４Ａは、ハーフバンドフィルタ１１９Ｒ，１１９Ｂがハーフバンドフィルタとして機能しない場合における出力データの周波数スペクトラムを示している。このハーフバンドフィルタ１１９Ｒ，１１９Ｂより出力される、信号帯域がｆs1で２ｆs1レートの色差データＤＣＲＵ，ＤＣＢＵは、２ｆs1のサンプリング周波数で動作するＤ／Ａ変換器１１７Ｒａ，１１７ＢａでＤ／Ａされてポストフィルタ１１８Ｒａ，１１８Ｂａに供給される。
【００６０】
そして、オンオフ制御信号ＳＷＣがローレベル「Ｌ」であるとき、切換スイッチ１２１Ｒ，１２１ＢはＬ側に接続されるため、ポストフィルタ１１８Ｒａ，１１８Ｂａで抽出され、る信号帯域がｆs1である色差信号ＣＲａ，ＣＢａが切換スイッチ１２１Ｒ，１２１Ｂを介して出力端子１２２Ｒ，１２２Ｂに導出される。図４Ｆはポストフィルタ１１８Ｒａ，１１８Ｂａの周波数特性を示しており、図４Ｇは色差信号ＣＲａ，ＣＢａの周波数スペクトラムを示している。なお、上述した輝度系のＤ／Ａ変換器１１７Ｙの周波数特性および輝度信号Ｙの周波数スペクトラムも、それぞれ図４Ｆおよび図４Ｇに示すようになる。
【００６１】
このように、オンオフ制御信号ＳＷＣがローレベル「Ｌ」であるとき、出力端子１２２Ｙ，１２２Ｒ，１２２Ｂにはそれぞれ信号帯域がｆs1である輝度信号Ｙ、赤色差信号ＣＲａ、青色差信号ＣＢａが出力される。すなわち、出力端子１２２Ｙ，１２２Ｒ，１２２Ｂには、４：４：４のビデオ信号が得られる。
【００６２】
また、オンオフ制御信号ＳＷＣがハイレベル「Ｈ」であるとき、ハーフバンドフィルタ１１９Ｒ，１１９Ｂはハーフバンドフィルタとして機能し、出力データの信号帯域はｆs1／２となる。図４Ｂは、ハーフバンドフィルタ１１９Ｒ，１１９Ｂがハーフバンドフィルタとして機能する場合における出力データの周波数スペクトラムを示している。ハーフバンドフィルタ１１９Ｒ，１１９Ｂより出力される、信号帯域がｆs1／２で２ｆs1レートの色差データＤＣＲＵ，ＤＣＢＵは間引き回路１２０Ｒ，１２０Ｂに供給される。そして、この間引き回路１２０Ｒ，１２０Ｂより出力される、信号帯域がｆs1／２でｆs1レートの色差データＤＣＲ，ＤＣＢは、ｆs1のサンプリング周波数で動作するＤ／Ａ変換器１１７Ｒｂ，１１７ＢｂでＤ／Ａ変換されてポストフィルタ１１８Ｒｂ，１１８Ｂｂに供給される。図４Ｃは、色差データＤＣＲ，ＤＣＢの周波数スペクトラムを示している。
【００６３】
そして、オンオフ制御信号ＳＷＣがハイレベル「Ｈ」であるとき、切換スイッチ１２１Ｒ，１２１ＢはＨ側に接続されるため、ポストフィルタ１１８Ｒｂ，１１８Ｂｂで抽出される、信号帯域がｆs1／２である色差信号ＣＲｂ，ＣＢｂが切換スイッチ１２１Ｒ，１２１Ｂを介して出力端子１２２Ｒ，１２２Ｂに導出される。図４Ｄはポストフィルタ１１８Ｒｂ，１１８Ｂｂの周波数特性を示しており、図４Ｅは色差信号ＣＲｂ，ＣＢｂの周波数スペクトラムを示している。
【００６４】
このように、オンオフ制御信号ＳＷＣがハイレベル「Ｈ」であるとき、出力端子１２２Ｙには信号帯域がｆs1である輝度信号Ｙが出力され、出力端子１２２Ｒ，１２２Ｂにはそれぞれ信号帯域がｆs1／２である赤色差信号ＣＲｂ、青色差信号ＣＢｂが出力される。すなわち、出力端子１２２Ｙ，１２２Ｒ，１２２Ｂには、４：２：２のビデオ信号が得られる。
【００６５】
また、ブランキング回路１１６Ｙ，１１６Ｒ，１１６Ｂより出力されるデータＤＹＵ，ＤＣＲＵ，ＤＣＢＵがレートコンバータ１２３に供給され、このレートコンバータ１２３より得られる所定サンプリング周波数ｆsnの輝度データＤＹｎ、色差データＤＣＲｎ，ＤＣＢｎが出力端子１２４Ｙ，１２４Ｒ，１２４Ｂに導出される。
【００６６】
このようにビデオカメラ１００においては、オンオフ制御信号ＳＷＣがローレベル「Ｌ」であるとき出力端子１２２Ｙ，１２２Ｒ，１２２Ｂに４：４：４のビデオ信号が出力され、一方オンオフ制御信号ＳＷＣがハイレベル「Ｈ」であるとき出力端子１２２Ｙ，１２２Ｒ，１２２Ｂに４：２：２のビデオ信号が出力される。したがって、オンオフ制御信号ＳＷＣによって、出力端子１２２Ｙ，１２２Ｒ，１２２Ｂに４：４：４のビデオ信号と４：２：２のビデオ信号とを切り換えて出力できる。
【００６７】
次に、図５を使用して、第２の実施の形態としてのビデオカメラ１００Ａについて説明する。この図５において、図１と対応する部分には同一符号を付し、その詳細説明は省略する。
【００６８】
ビデオカメラ１００Ａのブランキング回路１１６Ｙ，１１６Ｒ，１１６Ｂの前段側の回路構成（図示せず）は、図１に示すビデオカメラ１００と同様に構成されている。
【００６９】
ビデオカメラ１００Ａは、ハーフバンドフィルタ１１９Ｒ，１１９Ｂより出力される色差データＤＣＲＵ，ＤＣＢＵをアナログ信号に変換するためにサンプリング周波数２ｆs1で動作するＤ／Ａ変換器１１７Ｒｃ，１１７Ｂｃと、このＤ／Ａ変換器１１７Ｒｃ，１１７Ｂｃの出力信号に帯域制限して色差信号ＣＲｃ，ＣＢｃを抽出して切換スイッチ１２１Ｒ，１２１ＢのＨ側の固定端子に供給するポストフィルタ（ローパスフィルタ）１１８Ｒｃ，１１８Ｂｃとを有している。このビデオカメラ１００Ａのその他の構成は、図１に示すビデオカメラ１００と同様である。
【００７０】
このようなビデオカメラ１００Ａにおいて、ハーフバンドフィルタ１１９Ｒ，１１９Ｂより出力される色差データＤＣＲＵ，ＤＣＢＵは、Ｄ／Ａ変換器１１７Ｒｃ，１１７ＢｃでＤ／Ａ変換されてポストフィルタ１１８Ｒｃ，１１８Ｂｃに供給される。そして、このポストフィルタ１１８Ｒｃ，１１８Ｂｃで抽出される赤色差信号ＣＲｃ、青色差信号ＣＢｃが切換スイッチ１２１Ｒ，１２１ＢのＨ側の固定端子に供給される。
【００７１】
ここで、オンオフ制御信号ＳＷＣがローレベル「Ｌ」であるとき、ハーフバンドフィルタ１１９Ｒ，１１９Ｂはハーフバンドフィルタとして機能せず、また切換スイッチ１２１Ｒ，１２１ＢはＬ側に接続される。そのため、図１に示すビデオカメラ１００と同様に、ポストフィルタ１１８Ｒａ，１１８Ｂａで抽出される、信号帯域がｆs1である色差信号ＣＲａ，ＣＢａが出力端子１２２Ｒ，１２２Ｂに導出される。したがって、出力端子１２２Ｙ，１２２Ｒ，１２２Ｂには、４：４：４のビデオ信号が出力される。
【００７２】
なお、図６Ａはハーフバンドフィルタ１１９Ｒ，１１９Ｂがハーフバンドフィルタとして機能しない場合における出力データの周波数スペクトラムを示しており、図６Ｅはポストフィルタ１１８Ｒａ，１１８Ｂａの周波数特性を示しており、図６Ｆは色差信号ＣＲａ，ＣＢａの周波数スペクトラムを示している。
【００７３】
また、オンオフ制御信号ＳＷＣがハイレベル「Ｈ」であるとき、ハーフバンドフィルタ１１９Ｒ，１１９Ｂはハーフバンドフィルタとして機能し、出力データの信号帯域はｆs1／２となる。図６Ｂは、ハーフバンドフィルタ１１９Ｒ，１１９Ｂがハーフバンドフィルタとして機能する場合における出力データの周波数スペクトラムを示している。ハーフバンドフィルタ１１９Ｒ，１１９Ｂより出力される、信号帯域がｆs1／２で２ｆs1レートの色差データＤＣＲＵ，ＤＣＢＵは、２ｆs1のサンプリング周波数で動作するＤ／Ａ変換器１１７Ｒｃ，１１７ＢｃでＤ／Ａ変換されてポストフィルタ１１８Ｒｃ，１１８Ｂｃに供給される。
【００７４】
そして、オンオフ制御信号ＳＷＣがハイレベル「Ｈ」であるとき、切換スイッチ１２１Ｒ，１２１ＢはＨ側に接続されるため、ポストフィルタ１１８Ｒｃ，１１８Ｂｃで抽出される、信号帯域がｆs1／２である色差信号ＣＲｃ，ＣＢｃが切換スイッチ１２１Ｒ，１２１Ｂを介して出力端子１２２Ｒ，１２２Ｂに導出される。図６Ｃはポストフィルタ１１８Ｒｃ，１１８Ｂｃの周波数特性を示しており、図６Ｄは色差信号ＣＲｃ，ＣＢｃの周波数スペクトラムを示している。
【００７５】
このように、オンオフ制御信号ＳＷＣがハイレベル「Ｈ」であるとき、出力端子１２２Ｒ，１２２Ｂにはそれぞれ信号帯域がｆs1／２である赤色差信号ＣＲｃ、青色差信号ＣＢｃが出力される。すなわち、出力端子１２２Ｙ，１２２Ｒ，１２２Ｂには、４：２：２のビデオ信号が得られる。
【００７６】
このようにビデオカメラ１００Ａにおいては、図１に示すビデオカメラ１００と同様に、オンオフ制御信号ＳＷＣによって出力端子１２２Ｙ，１２２Ｒ，１２２Ｂに４：４：４のビデオ信号と４：２：２のビデオ信号とを切り換えて出力できる。また、ビデオカメラ１００Ａにおいては、ハーフバンドフィルタ１１９Ｒ，１１９Ｂより出力される、信号帯域がｆs1／２で２ｆs1レートである色差データＤＣＲＵ，ＤＣＢＵを、間引き処理することなく、２ｆs1のサンプリング周波数で動作するＤ／Ａ変換器１１７Ｒｃ，１１７ＢｃでＤ／Ａ変換するようにしているので、ポストフィルタ１１８Ｒｃ，１１８Ｂｃとして特性の緩いフィルタを使用でき（図６Ｃ参照）、ポストフィルタ１１８Ｒｃ，１１８Ｂｃの回路規模を削減することができる。また、ポストフィルタ１１８Ｒｃ，１１８Ｂｃとして輝度信号用のポストフィルタを転用でき、コストを低減できる。
【００７７】
次に、図７を使用して、第３の実施の形態としてのビデオカメラ１００Ｂについて説明する。この図７において、図１と対応する部分には同一符号を付し、その詳細説明は省略する。
【００７８】
ビデオカメラ１００Ｂのブランキング回路１１６Ｙ，１１６Ｒ，１１６Ｂの前段側の回路構成（図示せず）は、図１に示すビデオカメラ１００と同様に構成されている。
【００７９】
ビデオカメラ１００Ｂは、ハーフバンドフィルタ１１９Ｒ，１１９Ｂより出力される２ｆs1レートの色差データＤＣＲＵ，ＤＣＢＵをアナログ信号に変換するためにサンプリング周波数ｆs1で動作するＤ／Ａ変換器１１７Ｒｄ，１１７Ｂｄと、このＤ／Ａ変換器１１７Ｒｄ，１１７Ｂｄの出力信号に帯域制限して色差信号ＣＲｄ，ＣＢｄを抽出して切換スイッチ１２１Ｒ，１２１ＢのＨ側の固定端子に供給するポストフィルタ（ローパスフィルタ）１１８Ｒｄ，１１８Ｂｄとを有している。
【００８０】
図８は、Ｄ／Ａ変換器１１７Ｒｄ，１１７ＢｄにおけるＤ／Ａ変換のタイミングを示している。図８Ｂに示すハーフバンドフィルタ１１９Ｒ，１１９Ｂの出力データは、図８Ａに示す周波数２ｆs1のクロックＣＬＫ１に同期している。Ｄ／Ａ変換器１１７Ｒｄ，１１７Ｂｄでは、図８Ｃに示す周波数ｆs1のクロックＣＬＫ２によってＤ／Ａ変換され、図８Ｄに示すように出力データが得られる。この場合、ハーフバンドフィルタ１１９Ｒ，１１９Ｂの出力データは、Ｄ／Ａ変換器１１７Ｒｄ，１１７Ｂｄで間引き処理されると共に、Ｄ／Ａ変換されることになる。
【００８１】
このビデオカメラ１００Ｂのその他の構成は、図１に示すビデオカメラ１００と同様である。
【００８２】
このようなビデオカメラ１００Ｂにおいて、ハーフバンドフィルタ１１９Ｒ，１１９Ｂより出力される色差データＤＣＲＵ，ＤＣＢＵは、Ｄ／Ａ変換器１１７Ｒｄ，１１７ＢｄでＤ／Ａ変換されてポストフィルタ１１８Ｒｄ，１１８Ｂｄに供給される。そして、このポストフィルタ１１８Ｒｄ，１１８Ｂｄで抽出される赤色差信号ＣＲｄ、青色差信号ＣＢｄが切換スイッチ１２１Ｒ，１２１ＢのＨ側の固定端子に供給される。
【００８３】
ここで、オンオフ制御信号ＳＷＣがローレベル「Ｌ」であるとき、ハーフバンドフィルタ１１９Ｒ，１１９Ｂはハーフバンドフィルタとして機能せず、また切換スイッチ１２１Ｒ，１２１ＢはＬ側に接続される。そのため、図１に示すビデオカメラ１００と同様に、ポストフィルタ１１８Ｒａ，１１８Ｂａで抽出される、信号帯域がｆs1である色差信号ＣＲａ，ＣＢａが出力端子１２２Ｒ，１２２Ｂに導出される。したがって、出力端子１２２Ｙ，１２２Ｒ，１２２Ｂには、４：４：４のビデオ信号が出力される。
【００８４】
なお、図９Ａはハーフバンドフィルタ１１９Ｒ，１１９Ｂがハーフバンドフィルタとして機能しない場合における出力データの周波数スペクトラムを示しており、図９Ｅはポストフィルタ１１８Ｒａ，１１８Ｂａの周波数特性を示しており、図９Ｆは色差信号ＣＲａ，ＣＢａの周波数スペクトラムを示している。
【００８５】
また、オンオフ制御信号ＳＷＣがハイレベル「Ｈ」であるとき、ハーフバンドフィルタ１１９Ｒ，１１９Ｂはハーフバンドフィルタとして機能し、出力データの信号帯域はｆs1／２となる。図９Ｂは、ハーフバンドフィルタ１１９Ｒ，１１９Ｂがハーフバンドフィルタとして機能する場合における出力データの周波数スペクトラムを示している。ハーフバンドフィルタ１１９Ｒ，１１９Ｂより出力される、信号帯域がｆs1／２で２ｆs1レートの色差データＤＣＲＵ，ＤＣＢＵは、ｆs1のサンプリング周波数で動作するＤ／Ａ変換器１１７Ｒｄ，１１７Ｂｄで間引き処理およびＤ／Ａ変換されてポストフィルタ１１８Ｒｄ，１１８Ｂｄに供給される。
【００８６】
そして、オンオフ制御信号ＳＷＣがハイレベル「Ｈ」であるとき、切換スイッチ１２１Ｒ，１２１ＢはＨ側に接続されるため、ポストフィルタ１１８Ｒｄ，１１８Ｂｄで抽出される、信号帯域がｆs1／２である色差信号ＣＲｄ，ＣＢｄが切換スイッチ１２１Ｒ，１２１Ｂを介して出力端子１２２Ｒ，１２２Ｂに導出される。図９Ｃはポストフィルタ１１８Ｒｄ，１１８Ｂｄの周波数特性を示しており、図９Ｄは色差信号ＣＲｄ，ＣＢｄの周波数スペクトラムを示している。
【００８７】
このように、オンオフ制御信号ＳＷＣがハイレベル「Ｈ」であるとき、出力端子１２２Ｒ，１２２Ｂにはそれぞれ信号帯域がｆs1／２である赤色差信号ＣＲｄ、青色差信号ＣＢｄが出力される。すなわち、出力端子１２２Ｙ，１２２Ｒ，１２２Ｂには、４：２：２のビデオ信号が得られる。
【００８８】
このようにビデオカメラ１００Ｂにおいては、図１に示すビデオ１００と同様に、オンオフ制御信号ＳＷＣによって出力端子１２２Ｙ，１２２Ｒ，１２２Ｂに４：４：４のビデオ信号と４：２：２のビデオ信号とを切り換えて出力できる。また、ビデオカメラ１００Ｂにおいては、Ｄ／Ａ変換器１１７Ｒｄ，１１７Ｂｄで間引き処理も行われるため、間引き回路を削減できる。
【００８９】
なお、上述実施の形態においては、空間画素ずらし法に基づいて配置された撮像素子１０３Ｒ，１０３Ｇ，１０３Ｂより得られる色データＤＲ，ＤＧ，ＤＢをそれぞれアンプコンバータ１０７Ｒ，１０７Ｇ，１０７Ｂでアップコンバート処理することで２ｆs1レートの色データＤＲＵ，ＤＧＵ，ＤＢＵを得、マトリックス回路１１４より２ｆs1レートの輝度データＤＹＵ，色差データＤＣＲＵ，ＤＣＢＵを得るものを示したが、この発明は空間画素ずらし法を採用せず、撮像素子より２ｆs1レートの色信号を得、マトリックス回路より２ｆs1レートの輝度データ、色差データを得るようにしたビデオカメラにも同様に適用できることは勿論である。
【００９０】
【発明の効果】
この発明によれば、緑色信号を得るための第１の固体撮像素子とこれとは水平方向に１／２画素ピッチだけずらして配置され、青色信号および赤色信号をそれぞれ得るための第２および第３の固体撮像素子とから得られる、第１のサンプリング周波数の１／２の第２のサンプリング周波数の緑、青、赤の色信号に対してアップコンバート処理およびマトリックス処理をして第１のサンプリング周波数の輝度信号および色差信号を得ると共に、この第１のサンプリング周波数の色差信号より第１のサンプリング周波数の１／２の第２のサンプリング周波数の色差信号を得るものである。そのため、第１のサンプリング周波数の輝度信号および色差信号よりなる４：４：４のビデオ信号と、第１のサンプリング周波数の輝度信号および第２のサンプリング周波数の色差信号よりなる４：２：２のビデオ信号とを切り換えて出力できる。したがって、４：４：４のビデオ信号を出力するビデオカメラと４：２：２のビデオ信号を出力するビデオカメラとを別個に持つ必要がなく、経済的なビデオカメラを得ることができる。
【図面の簡単な説明】
【図１】第１の実施の形態としてのビデオカメラを示すブロック図である。
【図２】ハーフバンドフィルタの構成を示す接続図である。
【図３】ハーフバンドフィルタの特性を示す図である。
【図４】第１の実施の形態の要部信号の周波数スペクトラムとポストフィルタの特性を示す図である。
【図５】第２の実施の形態としてのビデオカメラの一部を示すブロック図である。
【図６】第２の実施の形態の要部信号の周波数スペクトラムとポストフィルタの特性を示す図である。
【図７】第３の実施の形態としてのビデオカメラの一部を示すブロック図である。
【図８】Ｄ／Ａ変換のタイミングを示す図である。
【図９】第３の実施の形態の要部信号の周波数スペクトラムとポストフィルタの特性を示す図である。
【図１０】従来のビデオカメラの一例を示すブロック図である。
【図１１】空間画素ずらし法を説明するための図である。
【符号の説明】
１００，１００Ａ，１００Ｂ・・・ビデオカメラ、１０３Ｒ，１０３Ｇ，１０３Ｂ・・・ＣＣＤ固体撮像素子、１０４Ｒ，１０４Ｇ，１０４Ｂ・・・アナログプロセス回路、１０５Ｒ，１０５Ｇ，１０５Ｂ・・・Ａ／Ｄ変換器、１０６・・・プリプロセス回路、１０７Ｒ，１０７Ｇ，１０７Ｂ・・・アップコンバータ、１０８・・・色補正回路、１１１Ｒ，１１１Ｇ，１１１Ｂ・・・ニー・ガンマ補正回路、１１４・・・マトリックス回路、１１６Ｙ，１１６Ｒ，１１６Ｂ・・・ブランキング回路、１１７Ｙ，１１７Ｒａ，１１７Ｂａ，１１７Ｒｂ，１１７Ｂｂ，１１７Ｒｃ，１１７Ｂｃ，１１７Ｒｄ，１１７Ｂｄ・・・Ｄ／Ａ変換器、１１８Ｙ，１１８Ｒａ，１１８Ｂａ，１１８Ｒｂ，１１８Ｂｂ，１１８Ｒｃ，１１８Ｂｃ，１１８Ｒｄ，１１８Ｂｄ・・・ポストフィルタ、１１９Ｒ，１１９Ｂ・・・ハーフバンドフィルタ、１２０Ｒ，１２０Ｂ・・・間引き回路、１２１Ｒ，１２１Ｂ・・・切換スイッチ、１２２Ｙ，１２２Ｒ，１２２Ｂ，１２４Ｙ，１２４Ｒ，１２４Ｂ・・・出力端子、１２３・・・レートコンバータ
【図１】
0003806968.tif 000004
【図２】
0003806968.tif 000005
【図３】
0003806968.tif 000006
【図４】
0003806968.tif 000007
【図５】
0003806968.tif 000008
【図６】
0003806968.tif 000009
【図７】
0003806968.tif 000010
【図８】
0003806968.tif 000011
【図９】
0003806968.tif 000012
【図１０】
0003806968.tif 000013
【図１１】
0003806968.tif 000014